(57)【要約】【課題】集合住宅等に使用される乾式二重床において、遮音性を高めるために支持脚のクッション部材のゴム硬度を下げることによって、重量床衝撃音に対する遮音性能を悪化させ、歩行時にふわふわして歩行感を損なうという問題が発生する。【解決手段】床スラブ面に支持脚が複数本立設され、該複数の支持脚の受け板に亘って高剛性の床パネル、床下地材、床仕上げ材が敷設されてなる乾式遮音二重床構造において、支持脚は弾性体からなるクッション部材と該クッション部材の上部中央に立設される支柱と該支柱の上部に螺合される受け板からなり、前記クッション部材基部の中央部下方を空洞とすると共に基部下面の周囲に突部を設け、また、空洞の径が支柱挿入部の径と略同等であるような形状のクッション部材とする。【選択図】  図１
2011074694.tif 000002
【特許請求の範囲】
【請求項１】
弾性体からなるクッション部材と該クッション部材の上部中央に立設される支柱と該支柱の上部に螺合される受け板からなる支持脚において、前記クッション部材基部の中央部下方を空洞とすると共に基部下面の周囲に突部を設けたことを特徴とする支持脚。
【請求項２】
請求項１に記載の空洞の平面方向の径が支柱挿入部の平面方向の径と略同等であることを特徴とする支持脚。
【請求項３】
床スラブ面に請求項１又は２に記載の支持脚が複数本立設され、該複数の支持脚の受け板に亘って高剛性の床パネルが敷設されてなることを特徴とする乾式遮音二重床構造。
【発明の詳細な説明】
【技術分野】
【０００１】
本発明は、集合住宅等に使用される乾式二重床において、支持脚のクッション部材の形状を工夫することで、遮音効果に優れると共に歩行感を損なわない乾式遮音二重床構造に関するものである。
【背景技術】
【０００２】
従来よりコンクリート等からなる床スラブ面の上に支持脚を介して合板やパーティクルボード等からなる床パネルを支持して二重床面を作り、その上に合板等の床下地材を捨て張りして木質フローリング等の化粧仕上げ材を張り上げた二重床構造が用いられている。
【０００３】
この種の二重床構造は床スラブ面の不陸を支持脚で吸収できるため床スラブ面の平滑化の手間が不要で、床下空間における配線や配管工事が容易であるという利点を有する。
【０００４】
例えば、特開平１１−２９３８９７号公報によれば、図８に示すように床スラブ面６０に床支持具５０を介して基材５５、床材５６を支持しており、床支持具５０はクッション部材５１，支柱５３，支持部５４からなり、クッション部材５１は床スラブ面６０との接触面には接地部５２が図９に示すような形態で４箇所設けられている。
【０００５】
このように接地部５２を設けることで、床スラブ面６０との接地面積が少なくなるため床に伝達される衝撃音、特に軽量床衝撃音に対する遮音性を向上させることができる。
【先行技術文献】
【特許文献】
【０００６】
【特許文献１】特開平１１−２９３８９７号公報
【発明の概要】
【発明が解決しようとする課題】
【０００７】
一方で、床衝撃音を遮音するためにクッション部材５１に使用する弾性体のゴム硬度を下げることが有効であるが、変形し易くなるため図９に示すように四周に設けた接地部５２同士の間に空間が形成されると、重量床衝撃に対してはクッション部材５１の底面が支柱５３に押されて変形し床スラブ面６０に接触することにより重量床衝撃音に対する遮音性能を悪化させていた。また、歩行時にふわふわして歩行感を損なうという問題があった。
【０００８】
本発明は、かかる問題点に鑑みなされたものであり、支持脚のクッション部材に使用する弾性体の形状を工夫することで、弾性体のゴム硬度を下げても重量床衝撃音に対する遮音性能を悪化させることなく、歩行感を損なうことのない乾式遮音二重床構造を提供することを目的とする。
【０００９】
上記目的を解決するために、請求項１に係る支持脚の発明は、弾性体からなるクッション部材と該クッション部材の上部中央に立設される支柱と該支柱の上部に螺合される受け板からなる支持脚において、前記クッション部材基部の中央部下方を空洞とすると共に基部下面の周囲に突部を設けたことを特徴とする。
【００１０】
請求項２に係る支持脚の発明は、請求項１に記載の空洞の平面方向の径が支柱挿入部の平面方向の径と略同等であることを特徴とする。
【００１１】
請求項３に係る乾式遮音二重床構造の発明は、床スラブ面に請求項１又は２に記載の支持脚が複数本立設され、該複数の支持脚の受け板に亘って高剛性の床パネルが敷設されてなることを特徴とする。
【発明の効果】
【００１２】
請求項１に係る発明は、弾性体からなるクッション部材と該クッション部材の上部中央に立設される支柱と該支柱の上部に螺合される受け板からなる支持脚において、前記クッション部材基部の中央部下方を空洞とすると共に基部下面の周囲に突部を設けているので、支柱の振動が直接クッション部材を通して床スラブ面に伝達することが防止できると共に、支柱直下のクッション部材が薄肉部となって衝撃が加わった時に剪断方向に変形して衝撃を吸収することができる。また、クッション部材と床スラブ面との接地面積が少なくなって床面から支持脚を通して伝達される衝撃が少なくなり、特に軽量床衝撃音に対する遮音特性が向上する。
【００１３】
請求項２に係る発明は、請求項１に記載の平面方向の空洞の径が支柱挿入部の平面方向の径と略同等であるので、重量衝撃が加わった時に支柱が直下のクッション部材の薄肉部を圧縮しても薄肉部が変形して床スラブ面に接触することによる重量床衝撃音の発生を防止すると共に、歩行時にふわふわした不快な歩行感を防止できる。
【００１４】
請求項３に係る発明は、請求項１又は２に記載の支持脚を用いた乾式遮音二重床構造の発明であって、複数の支持脚の受け板に亘って高剛性の床パネルが敷設されているので、歩行時の床面のたわみを減少させ床面の沈み込みのない心地よい歩行感を提供できる。
【図面の簡単な説明】
【００１５】
【図１】本発明の支持脚の断面図。
【図２】本発明のクッション部材の実施例を示す背面図と端面図。
【図３】本発明のクッション部材のその他の実施例を示す背面図と端面図。
【図４】本発明のクッション部材のその他の実施例を示す背面図と端面図。
【図５】本発明のクッション部材の比較例を示す背面図と端面図。
【図６】本発明の乾式遮音二重床構造の実施例を示す断面図。
【図７】本発明の乾式遮音二重床構造のその他の実施例を示す断面図。
【図８】従来技術の乾式遮音二重床構造の部分断面図。
【図９】従来技術の支持脚の背面図。
【発明を実施するための形態】
【００１６】
以下、本発明の実施形態について、図１から図７を用いて説明する。もちろん本発明は本実施形態の記載内容に限られるものではない。
【００１７】
本発明に係る支持脚１０は、図１に示すように、天然ゴム、合成ゴム、合成樹脂等の弾性体からなるクッション部材１１と、鋼・チタン合金・アルミ合金・ステンレスなどの合金や樹脂からなる支柱１２と、合板、パーティクルボード等の木質材や樹脂板からなる受け板１３とで構成される。支柱１２の少なくとも上部(通常は支柱全体）にはネジ山が形成され、ネジ山には金属や樹脂からなるナット部材１４を螺合させて、このナット部材１４を受け板１３に固定することで、受け板１３を高さ調節可能に支持できる。
【００１８】
クッション部材１１の基部１１ａは下面を破線で表した円柱部分である。この基部１１ａの下部には空洞１１ｃが形成されることで、支柱挿入部１１ｅとの間には薄肉部１１ｄが形成される。支柱挿入部１１ｅの径は支柱１２の径よりも同等から若干大きめに設定され、内部には抜け止め突部１１ｆが設けられ支柱１２がクッション部材１１から外れないように立設される。基部１１ａの下面周囲には突部１１ｂが設けられる。空洞１１ｃと突部１１ｂの配置関係を示す背面図と端面図の比較例を図５に、実施例の一例を図２〜４に示す。
【００１９】
図５では基部１１ａの下面に半球状の突部１１ｂが中央部及び周囲に５箇所十字状に並んでおり、支持脚１０は５箇所の突部１１ｂの頂点で床スラブ面６０と接地しているので、床面（二重床の床仕上面）から支持脚１０を通して下方へ伝達される衝撃を弾性体内で吸収し、円柱状のクッション部材１１の下面全体で接地するものよりは伝達量は少なくなるものの、支柱１２の下方にある基部下面の中央部に配置する突部１１ｂに支柱１２からの振動が直接伝達されるため遮音効果は不十分である。
【００２０】
一方、図３に示すように本実施形態では、基部１１ａの下面周囲に半球状の突部１１ｂが８箇所円周状に並んでおり、８箇所の頂点でスラブと接地しているので、床面（二重床の床仕上面）から支持脚１０を通して下方へ伝達される衝撃を弾性体内で吸収し、床スラブ面６０への伝達量が少なくなる。また、基部１１ａの中央下部に空洞１１ｃが設けられることで形成される薄肉部１１ｄは、衝撃が加わった時に剪断方向に変形し易いので容易に衝撃を吸収することができ、特にスプーンを床に落としたり、椅子を引いた時等の軽量床衝撃音に対する遮音特性が向上する。弾性体のゴム硬度は軟らかい方が好ましく、特に７０度程度が適度なゴム硬度である。また、薄肉部１１ｄの厚さは変形と強度のバランスから基部１１ａの１０〜３０％程度が好ましい。
【００２１】
図４はその他の実施形態によるもので、基本的に前記実施形態と同様であるので差異点だけ説明する。空洞１１ｃの径Ｄと支柱挿入部１１ｄの径ｄとは図３ではＤ＞ｄであったが、本実施形態ではＤ≒ｄ（略同等：径の２割程度の差は略同等と看做す）である。これによれば、重量物を床に落としたり、子供が飛び跳ねたりした時等の重量衝撃が加わった時に、支柱１２が直下の弾性体の薄肉部１１ｄ圧縮しても薄肉部１１ｄの変形が抑制され床スラブ面６０に接触するまで変形することがなくなり、重量床衝撃音（特に周波数が１２５Ｈｚ）の発生を防止できる。
【００２２】
図５はさらにその他の実施形態によるもので、図４との差異点は、突部１１ｂが図４のように分離せずドーナツ状に連続した形状を有する点である。これによって防音性能は大きく変わらないが、突部１１ｂの接地面積が増加した分突部１１ｂ全体の変形が抑えられて変形量が少なくなり、支持される二重床面の沈み込みが抑えられるので歩行時にふわふわすることがなくなり歩行感が向上する。
【００２３】
図６は前記説明した支持脚１０を用いた乾式遮音二重床構造の一例を示した断面図である。床スラブ面６０に複数本の支持脚１０を立設させ、複数の受け板１３に亘って高剛性の床パネル２１を支持して二重床面を作り、その上に床下地材２２を捨て張りしてさらにその上に床仕上げ材２３を張り上げて乾式遮音二重床構造が完成する。壁６１に沿った四周部分に木材からなる際根太１７を設け、床パネルの継目部分を支持脚１０で支持する。床パネル２１は合板、パーティクルボード、火山性ガラス質複層板、木質セメント板等を用いることができ、大きさは４５０〜１０００×４５０〜２０００で厚さ１５〜３０ｍｍ程度が好ましい。
【００２４】
床パネル２１の敷設が終われば床パネル２１の隙間から支持脚１０の支柱１２の頭のネジ部分を回して受け板１３を上下させ、床パネル２１が水平になるように調整した後、床下地材２２を隙間が重ならないように捨て張りする。床下地材２２は床パネル２１と同等のものを用いることができる。必要に応じて遮音マット等を上に敷設しても良い。最後に木質フローリング等の床仕上げ材２３を張り上げる。
【００２５】
床パネル２１として、高剛性(曲げ強度の強い）の材料を用いれば、二重床面のたわみを防止することができ部分的な沈み込みが抑えられるので、防音性能と共に歩行時にふわふわする不快感がなくなり歩行感が向上する。本実施例では通常の曲げ強さが１８Ｎ／ｍｍ２のパーティクルボードから２３Ｎ／ｍｍ２に約３割強度を向上させることで、軽量床衝撃音レベルでΔＬＬ−２からΔＬＬ−３に向上している。
【００２６】
図７は乾式遮音二重床構造のその他の一例を示した断面図である。際根太部分以外は基本的に図６に示す構造と同様であるので差異点を説明する。壁６１に沿った四周部分に支持脚１０と同様に弾性体からなるクッション部材を有する際根太とすることで、遮音性を高めることができる。また、必要に応じて床パネル２１と床スラブ面６０との間に吸音材（グラスウールマット、ロックウールマット等）を設けることでさらに遮音性に優れた乾式遮音二重床構造を得ることができる。
【産業上の利用可能性】
【００２７】
集合住宅等に使用される乾式二重床において、支持脚のクッション部材の形状を工夫することで、遮音効果と歩行感の両方を同時に高めることができる乾式遮音二重床構造を提供できるので、極めて有用で産業上の利用可能性が高い。
【符号の説明】
【００２８】
１０              支持脚
１１              クッション部材
１１ａ            基部
１１ｂ            突部
１１ｃ            空洞
１１ｄ            薄肉部
１１ｅ            支柱挿入部
１１ｆ            抜け止め突部
１２              支柱
１３              受け板
２１              床パネル
２２              床下地材
２３              床仕上げ材
６０              床スラブ面  
【図１】
2011074694.tif 000003
【図２】
2011074694.tif 000004
【図３】
2011074694.tif 000005
【図４】
2011074694.tif 000006
【図５】
2011074694.tif 000007
【図６】
2011074694.tif 000008
【図７】
2011074694.tif 000009
【図８】
2011074694.tif 000010
【図９】
2011074694.tif 000011